(57)【特許請求の範囲】
【請求項１】
伸縮可能な基材と、
前記基材よりも下側に積層され、この粘着シートを被着体に粘着させる粘着剤層とを備え、
この粘着シートを、上面側から見た状態で、
前記基材が伸びることにより、応力が作用することに応じて、色彩が変化する第１可変色部と、
前記第１可変色部に連続し、応力が作用しても、色彩が変化しない第１不変色部と、
前記基材が伸びることにより、応力が作用することに応じて、色彩が変化する第２可変色部と、
前記第２可変色部に連続し、応力が作用しても、色彩が変化しない第２不変色部とを備え、
前記基材が縮み状態では、
前記第１可変色部の色彩と、前記第１不変色部の色彩とが同じであり、
前記第２可変色部の色彩と、前記第２不変色部の色彩とが異なり、
前記基材が伸び状態では、
前記第１可変色部の色彩と、前記第１不変色部の色彩とが異なり、
前記第２可変色部の色彩と、前記第２不変色部の色彩とが同じであること、
を特徴とする粘着シート。
【請求項２】
請求項１に記載の粘着シートにおいて、
前記第１不変色部の色彩と、前記第２不変色部の色彩と、前記基材が縮み状態の前記第１可変色部の色彩と、前記基材が伸び状態の前記第２可変色部の色彩とは、同じであること、
を特徴とする粘着シート。
【請求項３】
伸縮可能な基材と、
前記基材よりも下側に積層され、この粘着シートを被着体に粘着させる粘着剤層とを備え、
この粘着シートを、上面側から見た状態で、
前記基材が伸びることにより、応力が作用することに応じて、同様に色彩が変化する第１可変色部、第２可変色部と、
前記第１可変色部に連続し、応力が作用しても、色彩が変化しない第１不変色部と、
前記第２可変色部に連続し、応力が作用しても、色彩が変化しない第２不変色部とを備え、
前記基材が縮み状態では、
前記第１可変色部の色彩と、前記第１不変色部の色彩とが同じであり、
前記第２可変色部の色彩と、前記第２不変色部の色彩とが異なり、
前記基材が伸び状態では、
前記第１可変色部の色彩と、前記第１不変色部の色彩とが異なり、
前記第２可変色部の色彩と、前記第２不変色部の色彩とが同じであること、
を特徴とする粘着シート。
【請求項４】
請求項１から請求項３のいずれかに記載の粘着シートにおいて、
各可変色部は、各可変色部を積層するための前記基材又は前記基材上に設けられた透明層上に積層されており、
各不変色部は、各可変色部よりも下側に積層された層が、各可変色部の背景として観察される部分であること、
を特徴とする粘着シート。
【請求項５】
請求項１から請求項３のいずれかに記載の粘着シートにおいて、
各可変色部は、各不変色部よりも下側に積層された層であり、各不変色部の背景として観察される部分であること、
を特徴とする粘着シート。
【発明の詳細な説明】
【技術分野】
【０００１】
本発明は、色彩が変化する粘着シートに関するものである。
【背景技術】
【０００２】
従来、応力の作用に応じて、色彩が変化する機能材料（例えば特許文献１に記載の自己組織化ポリマー膜）があった。
しかし、このような機能部材の用途は、一部の分野（例えば特許文献２の真贋判定シート）に限られていた。
【先行技術文献】
【特許文献】
【０００３】
【特許文献１】特開２００７−３１４７５０号公報
【特許文献２】特許第５５８９６４０号公報
【発明の概要】
【発明が解決しようとする課題】
【０００４】
本発明の課題は、色彩が変化する機能材料の用途を広げた粘着シートを提供することである。
【課題を解決するための手段】
【０００５】
本発明は、以下のような解決手段により、課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００６】
・第１の発明は、伸縮可能な基材（１０，２１０，３１０）と、前記基材よりも下側に積層され、この粘着シートを被着体に粘着させる粘着剤層（４０）とを備え、この粘着シート（１，２０１，３０１，４０１，５０１，６０１）を、上面側から見た状態で、前記基材が伸びることにより、応力が作用することに応じて、色彩が変化する可変色部（２１，２２１，３２１，４２１，５２１，６２１）と、前記可変色部に連続し、応力が作用しても色彩が変化しない不変色部（１１，２１１，３１１，４１１，５１１，６１１）とを備え、前記基材が縮み状態では、前記可変色部（ＯＫ）の色彩と、前記不変色部の色彩とが同じであり、前記基材が伸び状態では、前記可変色部（ＯＫ）の色彩と、前記不変色部の色彩とが異なること、を特徴とする粘着シートである。
・第２の発明は、伸縮可能な基材（１０，２１０，３１０）と、前記基材よりも下側に積層され、この粘着シートを被着体に粘着させる粘着剤層（４０）とを備え、この粘着シート（１，２０１，３０１，４０１，５０１，６０１）を、上面側から見た状態で、前記基材が伸びることにより、応力が作用することに応じて、色彩が変化する可変色部（２２，２２２，３２２，４２２，５２２，６２２）と、前記可変色部に連続し、応力が作用しても、色彩が変化しない不変色部（１２，２１２，３１２，４１２，５１２，６１２）とを備え、前記基材が縮み状態では、前記可変色部（ＮＧ）の色彩と、前記不変色部の色彩とが異なり、前記基材が伸び状態では、前記可変色部（ＮＧ）の色彩と、前記不変色部の色彩とが同じであること、を特徴とする粘着シートである。
・第３の発明は、伸縮可能な基材（１０，２１０，３１０）と、前記基材よりも下側に積層され、この粘着シートを被着体に粘着させる粘着剤層（４０）とを備え、この粘着シート（１，２０１，３０１，４０１，５０１，６０１）を、上面側から見た状態で、前記基材が伸びることにより、応力が作用することに応じて、色彩が変化する第１可変色部（２１，２２１，３２１，４２１，５２１，６２１）と、前記第１可変色部に連続し、応力が作用しても、色彩が変化しない第１不変色部（１１，２１１，３１１，４１１，５１１，６１１）と、前記基材が伸びることにより、応力が作用することに応じて、色彩が変化する第２可変色部（２２，２２２，３２２，４２２，５２２，６２２）と、前記第２可変色部に連続し、応力が作用しても、色彩が変化しない第２不変色部（１２，２１２，３１２，４１２，５１２，６１２）とを備え、前記基材が縮み状態では、前記第１可変色部（ＯＫ）の色彩と、前記第１不変色部の色彩とが同じであり、前記第２可変色部（ＮＧ）の色彩と、前記第２不変色部の色彩とが異なり、前記基材が伸び状態では、前記第１可変色部（ＯＫ）の色彩と、前記第１不変色部の色彩とが異なり、前記第２可変色部（ＮＧ）の色彩と、前記第２不変色部の色彩とが同じであること、を特徴とする粘着シートである。
・第４の発明は、第３の発明の粘着シートにおいて、前記第１不変色部（１１，４１１）の色彩と、前記第２不変色部（１２，４１２）の色彩の色彩と、前記基材（１０）が縮み状態の前記第１可変色部（２１，４２１）の色彩と、前記基材が伸び状態の前記第２可変色部（２２，４２２）の色彩とは、同じ（Ｙ）であること、を特徴とする粘着シートである。
・第５の発明は、伸縮可能な基材（３１０，１０）と、前記基材よりも下側に積層され、この粘着シートを被着体に粘着させる粘着剤層（４０）とを備え、この粘着シート（３０１，６０１）を、上面側から見た状態で、前記基材が伸びることにより、応力が作用することに応じて、同様に色彩が変化する（Ｙ→Ｏ）第１可変色部（３２１，６２１）、第２可変色部（３２２，６２２）と、前記第１可変色部に連続し、応力が作用しても、色彩が変化しない第１不変色部（３１１，６１１）と、前記第２可変色部に連続し、応力が作用しても、色彩が変化しない第２不変色部（３１２，６１２）とを備え、前記基材が縮み状態では、前記第１可変色部（ＯＫ）の色彩と、前記第１不変色部の色彩とが同じであり、前記第２可変色部（ＮＧ）の色彩と、前記第２不変色部の色彩とが異なり、前記基材が伸び状態では、前記第１可変色部（ＯＫ）の色彩と、前記第１不変色部の色彩とが異なり、前記第２可変色部（ＮＧ）の色彩と、前記第２不変色部の色彩とが同じであること、を特徴とする粘着シートである。
・第６の発明は、第１から第５のいずれかの発明の粘着シートにおいて、各色変化部（２１，２２１，３２１、２２，２２２，３２２）は、各色変化部を積層するための保持層（１０，２１０，３１０）上に積層されており、各不変色部（１１，２１１，３１１、１２，２１２，３１２）は、各色変化部よりも下側に積層された層（１０，２１０，３１０）が、各色変化部の背景として観察される部分であること、を特徴とする粘着シートである。
・第７の発明は、第１から第５のいずれかの発明の粘着シートにおいて、各不変色部（４１１，５１１，６１１、４１２，５１２，６１２）は、各色変化部よりも上側に積層されており、各変色部（４２１，５２１，６２１、４２２，５２２，６２２）は、各色変化部よりも下側に積層された層であり、各色変化部の背景として観察される部分であること、を特徴とする粘着シートである。
【発明の効果】
【０００７】
本発明によれば、色彩が変化する機能材料の用途を広げた粘着シートを提供できる。
【図面の簡単な説明】
【０００８】
【図１】第１実施形態の粘着テープ１を示すである。
【図２】第１実施形態の粘着テープ１の使用方法の一例を説明する図である。
【図３】第２実施形態の粘着テープ２０１を示すである。
【図４】第３実施形態の粘着テープ３０１を示すである。
【図５】第４実施形態の粘着テープ４０１を示すである。
【図６】第５実施形態の粘着テープ５０１を示す図である。
【図７】第６実施形態の粘着テープ６０１を示すである。
【発明を実施するための形態】
【０００９】
（第１実施形態）
以下、図面等を参照して、本発明の第１実施形態について説明する。
図１は、第１実施形態の粘着テープ１を示すである。
図１（Ａ）は、縮み状態の粘着テープ１を上側Ｚ２から見た図である。
図１（Ｂ）は、伸び状態の粘着テープ１を上側Ｚ２から見た図である。
図１（Ｃ）は、粘着テープ１の断面図（図１（Ａ）のＣ−Ｃ部断面図）である。
実施形態、図面では、説明と理解を容易にするために、ＸＹＺ直交座標系を設けた。この座標系は、粘着テープ１の左右方向Ｘ（左側Ｘ１、右側Ｘ２）、縦方向Ｙ（下側Ｙ１、上側Ｙ２）、厚さ方向Ｚ（下側Ｚ１、上側Ｚ２）を示す。
【００１０】
粘着テープ１（粘着シート）は、例えば、段ボール箱の開口部の封止等に利用される。すなわち、粘着テープ１は、シート状に形成され、粘着剤によって他の部材（被着体）に粘着可能である。粘着テープ１は、左右方向Ｘに細長い部材である。粘着テープ１は、使用前の状態では、例えばロール状になっている。
【００１１】
粘着テープ１は、基材１０、透明保護層３０、粘着剤層４０、剥離紙４１を備える。
粘着剤層４０、基材１０、透明保護層３０は、剥離紙４１上に、下側Ｚ１から上側Ｚ２にこの順番で積層されている。なお、実施形態の層構成は、一例であり、適宜、他の層を追加してもよい。例えば、基材１０及び粘着剤層４０の間には、他の層を設けてもよい。
【００１２】
基材１０は、例えば、弾性ゴム等の材料を含んでおり、左右方向Ｘに伸縮する。
基材１０の色は黄色である。この基材１０の色は、例えば、基材１０自体の色彩でもよく、基材１０に黄色の印刷層を設けたものでもよい。基材１０の色彩は、基材１０が伸縮することにより、応力が作用しても変化しない。
【００１３】
基材１０上には、文字部２０（可変色部）が積層されている。
文字部２０の色彩は、応力（引っ張り応力）が作用することに応じて変化する。
文字部２０は、例えば、特開２００７−３１４７５０号公報に記載されている自己組織化ポリマーや置換ポリアセチレンを使用できる。「自己組織化ポリマー」とは、外部刺激により分子の高次構造を自ら変化させることができるポリマーをいう。
文字部２０の色彩は、ポリマー鎖がらせん構造を有するポリマーに、外的負荷を付与することにより、例えば、以下の理由によって変化する。
・「らせん方向及び／又はポリマー鎖の配向」と、「らせん構造及び／又は結晶構造」と、を可逆的ないしは不可逆的に変化させる。
・新たならせん構造を形成させる。
【００１４】
文字部２０は、ＯＫ文字部２１（第１可変色部）、ＮＧ文字部２２（第２可変色部）を備える。上側Ｚ２から見ると、ＯＫ文字部２１、ＮＧ文字部２２の形状は、それぞれ、「ＯＫ」、「ＮＧ」の文字状である。これにより、ＯＫ文字部２１、ＮＧ文字部２２は、利用者（作業者等）に対して、粘着テープ１に適切な応力が作用しているか否か、すなわち、粘着テープ１が被着体に確実に貼付されているか否かの情報（ＯＫ又はＮＧ）を伝えることができる。１つのＯＫ文字部２１、１つのＮＧ文字部２２は、左右方向Ｘに配置されたものが１組である。そして、複数組みが左右に連続して配置されている。
ＯＫ文字部２１、ＮＧ文字部２２は、後述するように、変化する色彩の態様が異なる。
なお、文字部２０は、基材１０上に直接積層されている例を示すが、これに限定されない。例えば、基材１０上に透明層を設け、文字部２０は、この透明層上に積層してもよい。つまり、文字部２０を保持する保持層は、基材１０自体でもよく、このような透明層等でもよい。
【００１５】
透明保護層３０は、基材１０上に積層された文字部２０を、摩擦、汚損等から保護する層である。透明保護層３０は、透明な層である。透明保護層３０は、基材１０と同様に、伸縮可能である。
透明保護層３０は、基材１０及び文字部２０を一体で覆うように、基材１０上面の全面に積層されている。
粘着剤層４０は、基材１０の下面に積層されている。粘着剤層４０は、粘着剤によって形成される。粘着剤層４０は、この粘着テープ１を被着体に粘着させる。
剥離紙４１は、紙材等にシリコン樹脂等が塗布されたものであり、粘着剤層４０に剥離可能に積層されている。
なお、使用前において、粘着テープ１がロール状に形成され、かつ、粘着剤層４０が透明保護層３０から容易に剥離可能であれば、剥離紙４１は、不要である。
【００１６】
上記構成によって、粘着テープ１は、剥離紙４１から剥離された状態で、基材１０、文字部２０、透明保護層３０、粘着剤層４０が一体で、左右方向Ｘに伸縮する。
図１（Ａ）の状態が、縮み状態であり、一方、図１（Ｂ）の状態が、伸び状態である。粘着テープ１は、使用前の剥離紙４１が積層された状態では、縮み状態である。粘着テープ１は、使用時に引っ張られることにより、伸び状態にされた状態で、被着体に貼付される。
【００１７】
［上側Ｚ２（上面側）から見た色彩］
この粘着テープ１を、上側Ｚ２から見た状態の色彩について説明する。
図面には、適宜、観察される色彩に応じて、黄色に「Ｙ」、橙色に「Ｏ」、青色に「Ｂ」を付した。
透明保護層３０は、透明である。このため、粘着テープ１を上側Ｚ２から見ると、基材１０、ＯＫ文字部２１、ＮＧ文字部２２の３つの部分が観察される。
縮み状態、伸び状態の観察態様は、以下の通りである。
【００１８】
（縮み状態：図１（Ａ）の状態）
使用前等の状態であって、粘着テープ１が左右方向Ｘに引っ張られていない状態（つまり、応力が作用していない状態）では、以下のようになる。
・ＯＫ文字部２１
ＯＫ文字部２１の色彩は、黄色（Ｙ）である。基材１０の色彩は、黄色（Ｙ）である。このため、ＯＫ文字部２１の色彩と、基材１０のうちＯＫ文字部２１に連続しＯＫ文字部２１の背景となる部分１１（第１不変色部）の色彩とが同じである。このため、看者は、ＯＫ文字部２１の文字を、明確に判別できない。
・ＮＧ文字部２２
ＮＧ文字部２２の色彩は、青色（Ｂ）である。基材１０の色彩は、黄色（Ｙ）である。このため、ＮＧ文字部２２の色彩と、基材１０のうちＮＧ文字部２２に連続しＮＧ文字部２２の背景となる部分１２（第２不変色部）の色彩とが異なる。このため、看者は、ＮＧ文字部２２の文字を、明確に判別できる。
【００１９】
（伸び状態：図１（Ｂ）の状態）
使用時等の状態であって、粘着テープ１が左右方向Ｘに引っ張られた状態では、ＯＫ文字部２１、ＮＧ文字部２２は、基材１０と一体に、左右方向Ｘに伸びる。これに応じて、ＯＫ文字部２１、ＮＧ文字部２２は、左右方向Ｘに大きな応力が作用する。このため、ＯＫ文字部２１、ＮＧ文字部２２は、色彩が変化する。この場合、粘着テープ１は以下のように観察される。
・ＯＫ文字部２１
ＯＫ文字部２１の色彩は、応力が作用することによって、橙色（Ｏ）に変化する。基材１０の色彩は、基材１０に応力が作用しても、変化しないので黄色（Ｙ）である。このため、ＮＧ文字部２２の色彩と、基材１０のうちＯＫ文字部２１の色彩に連続した部分１１の色彩とが異なる。このため、看者は、ＯＫ文字部２１の文字を、明確に判別できる。
なお、「色彩が変化しない」とは、着色剤自体等の色が変化しないことをいい、例えば、基材１０が伸びることにより基材１０の色彩が若干薄くなるような形態は、「色彩が変化しない」に含む。
・ＮＧ文字部２２
ＮＧ文字部２２の色彩は、応力が作用することによって、黄色（Ｙ）に変化する。基材１０の色彩は、基材１０に応力が作用しても、色彩が変化しないので黄色（Ｙ）である。このため、ＮＧ文字部２２の色彩と、基材１０のうちＮＧ文字部２２に連続した部分１２の色彩とが同じである。このため、看者は、ＮＧ文字部２２の文字を、明確に判別できない。
【００２０】
これにより、看者は、「ＯＫ」、「ＮＧ」の２つの文字のうち、縮み状態では「ＮＧ」のみを明確に判別でき、一方、伸び状態では「ＯＫ」のみを明確に判別できる。
また、粘着テープ１は、基材１０の色彩（部分１１の色彩、部分１２の色彩）と、縮み状態のＯＫ文字部２１の色彩と、伸び状態のＮＧ文字部２２の色彩とが同じ黄色であることにより、２つの文字「ＯＫ」、「ＮＧ」を交互に、明確に判別できないように表現できる。さらに、粘着テープ１は、基材１０を１色にすることができるので、低コストである。
【００２１】
［使用方法］
粘着テープ１の使用方法の一例について説明する。
図２は、第１実施形態の粘着テープ１の使用方法の一例を説明する図である。
図２（Ａ）は、粘着テープ１を使って、段ボール箱６０を閉じる状態を示す斜視図である。
図２（Ｂ）は、粘着テープ１が浮いた状態で貼付された状態を、上側Ｚ２から見た図、断面図である。
図２（Ｃ）は、粘着テープ１が適切に貼付された状態を示す上側Ｚ２から見た図、断面図である。
【００２２】
図２（Ａ）に示すように、作業者が粘着テープ１から剥離紙４１を剥がし、粘着テープ１を使って段ボールを閉じる例を説明する。
図２（Ｂ）に示すように、作業者が粘着テープ１を左右方向Ｘに適度に引っ張らずに段ボール箱６０（被着体）に貼付すると、粘着テープ１は、段ボール箱６０のエッジ部分等で浮いた状態になる。この状態では、粘着テープ１は、縮み状態である。このため、作業者は、「ＯＫ」、「ＮＧ」の２つの文字のうちＮＧ文字部２２の「ＮＧ」のみを、明確に判別できる。
作業者は、この「ＮＧ」の文字を確認することにより、段ボール箱６０が確実に封止されていないことを確認できる。作業者は、粘着テープ１を再貼付する等の対応することができる。
【００２３】
一方、図２（Ｃ）に示すように、粘着テープ１を左右方向Ｘに適度に引っ張って段ボール箱６０に貼付すると、粘着テープ１が段ボール箱６０に密着する。この状態では、粘着テープ１は、伸び状態である。このため、前述したように、「ＯＫ」、「ＮＧ」の２つの文字のうち、ＯＫ文字部２１の「ＯＫ」のみを判別できる。
作業者は、この「ＯＫ」の文字を確認することにより、段ボール箱６０が確実に封止されていることを確認できる。
【００２４】
以上説明したように、本実施形態の粘着テープ１は、粘着テープ１が縮み状態、伸び状態であるかを明確に判断できる。このため、作業者は、粘着テープ１を、例えば、段ボール箱６０の開口等を確実に封止するように使用できる。
また、粘着テープ１は、色彩が変化する機能材料を含んだ粘着シート状にすることにより、他の部材に粘着できるので、このような機能材料の用途を広げることができる。
【００２５】
（第２実施形態）
次に、本発明の第２実施形態について説明する。
なお、以下の説明及び図面において、前述した第１実施形態と同様の機能を果たす部分には、末尾（下２桁）に同一の符号を適宜付して、重複する説明を適宜省略する。
また、第２実施形態、後述する第３実施形態の積層構成、複数組みの文字部が左右方向Ｘに並べられた構成、使用方法等は、第１実施形態と同様である。以下の説明及び図面では、主に、１組のＯＫ文字部、ＮＧ文字部の色彩の配置について説明する。
図３は、第２実施形態の粘着テープ２０１を示す図である。
図３（Ａ）は、縮み状態の粘着テープ２０１を上側Ｚ２から見た図である。
図３（Ｂ）は、伸び状態の粘着テープ２０１を上側Ｚ２から見た図である。
【００２６】
基材２１０は、部分２１１（第１不変色部）、部分２１２（第２不変色部）を備える。
部分２１１は、ＯＫ文字部２２１が配置された領域である。部分２１１は、ＯＫ文字部２２１に連続しており、ＯＫ文字部２２１の背景である。
部分２１２は、ＮＧ文字部２２２が配置された領域である。部分２１２は、ＮＧ文字部２２２に連続しており、ＮＧ文字部２２２の背景である。
後述するように、部分２１１，２１２の色彩は、異なっている。
基材２１０を配色する構成は、上側Ｚ２から見たときに、部分２１１，２１２に異なる色彩が観察されれば、いずれの構成でもよい。例えば、部分２１１を基材２１０自体の色とし、部分２１２を基材２１０上にベタ印刷してもよい。
【００２７】
［上側Ｚ２（上面側）から見た色彩］
この粘着テープ２０１を、上側Ｚ２から見た状態の色彩について説明する。
図面には、適宜、赤色に観察される部分には「Ｒ」を付した。その他の色彩は、第１実施形態と同様に示した。
【００２８】
（縮み状態：図３（Ａ）の状態）
・ＯＫ文字部２２１
ＯＫ文字部２２１の色彩は、黄色（Ｙ）である。基材２１０の部分２１１の色彩は、黄色（Ｙ）である。このため、看者は、第１実施形態と同様に、ＯＫ文字部２２１の文字を、明確に判別できない。
・ＮＧ文字部２２２
ＮＧ文字部２２２の色彩は、青色（Ｂ）である。基材２１０の部分２１２の色彩は、赤色（Ｒ）である。このため、ＮＧ文字部２２２の色彩と、基材２１０の部分２１２の色彩とが異なる。このため、看者は、ＮＧ文字部２２２の文字を、明確に判別できる。
【００２９】
（伸び状態：図３（Ｂ）の状態）
・ＯＫ文字部２２１
ＯＫ文字部２２１の色彩は、橙色（Ｏ）に変化する。基材２１０の部分２１１の色彩は、基材２１０に応力が作用しても、変化しないので黄色（Ｙ）である。このため、看者は、第１実施形態と同様に、ＯＫ文字部２２１の文字を、明確に判別できる。
・ＮＧ文字部２２２
ＮＧ文字部２２２の色彩は、赤色（Ｒ）に変化する。基材２１０の部分２１２の色彩は、基材２１０に応力が作用しても、色彩が変化しないので赤色（Ｒ）である。このため、ＮＧ文字部２２２の色彩と、基材２１０の部分２１２の色彩とが同じである。このため、看者は、ＮＧ文字部２２２の文字を、明確に判別できない。
【００３０】
これにより、看者は、「ＯＫ」、「ＮＧ」の２つの文字のうち、縮み状態では「ＮＧ」のみを明確に判別でき、一方、伸び状態では「ＯＫ」のみを明確に判別できる。
また、ＯＫ文字部２２１の色彩は、「黄色→橙色」に変化する。一方、ＮＧ文字部２２２の色彩は、「青色→赤色」に変化する。
このように、ＯＫ文字部２２１、ＮＧ文字部２２２の色彩は、共通したものがない。これにより、ＯＫ文字部２２１、ＮＧ文字部２２２のそれぞれの色彩の変化に応じて、基材２１０の部分２１１，２１２の色彩をそれぞれ設定すればよいので、設計の自由度を向上できる。
【００３１】
（第３実施形態）
次に、本発明の第３実施形態について説明する。
なお、以下の説明及び図面において、前述した第１、第２実施形態と同様の機能を果たす部分には、末尾（下２桁）に同一の符号を適宜付して、重複する説明を適宜省略する。
図４は、第３実施形態の粘着テープ３０１を示すである。
図４（Ａ）は、縮み状態の粘着テープ３０１を上側Ｚ２から見た図である。
図４（Ｂ）は、伸び状態の粘着テープ３０１を上側Ｚ２から見た図である。
【００３２】
基材３１０は、部分３１１（第１不変色部）、部分３１２（第２不変色部）を備える。
後述するように、ＯＫ文字部３２１、ＮＧ文字部３２２は、応力が作用することに応じて、同様に色彩が変化する。
【００３３】
［上側Ｚ２（上面側）から見た色彩］
この粘着テープ３０１を、上側Ｚ２から見た状態の色彩について説明する。
図面には、適宜、観察される部分の色彩を、第１実形態と同様に、黄色に「Ｙ」、橙色に「Ｏ」を付した。
【００３４】
（縮み状態：図４（Ａ）の状態）
・ＯＫ文字部３２１
ＯＫ文字部３２１の色彩は、黄色（Ｙ）である。基材３１０の部分３１１の色彩は、黄色（Ｙ）である。このため、看者は、第１実施形態と同様に、ＯＫ文字部３２１の文字を、明確に判別できない。
・ＮＧ文字部３２２
ＮＧ文字部３２２の色彩は、ＯＫ文字部３２１と同じ黄色（Ｙ）である。基材３１０の部分３１２の色彩は、橙色（Ｏ）である。このため、ＮＧ文字部３２２の色彩と、基材３１０の部分３１２の色彩とが異なる。このため、看者は、ＮＧ文字部３２２の文字を、明確に判別できる。
【００３５】
（伸び状態：図４（Ｂ）の状態）
・ＯＫ文字部３２１
ＯＫ文字部３２１の色彩は、橙色（Ｏ）に変化する。基材３１０の部分３１１の色彩は、基材３１０に応力が作用しても、変化しないので黄色（Ｙ）である。このため、看者は、第１実施形態と同様に、ＯＫ文字部３２１の文字を、明確に判別できる。
・ＮＧ文字部３２２
ＮＧ文字部３２２の色彩は、ＯＫ文字部３２１と同様に、橙色（Ｏ）に変化する。基材３１０の部分３１２の色彩は、基材３１０に応力が作用しても、色彩が変化しないので橙色（Ｏ）である。このため、ＮＧ文字部３２２の色彩と、基材３１０の部分３１２の色彩とが同じである。このため、看者は、ＮＧ文字部３２２の文字を、明確に判別できない。
【００３６】
これにより、看者は、「ＯＫ」、「ＮＧ」の２つの文字のうち、縮み状態では「ＮＧ」のみを明確に判別でき、一方、伸び状態では「ＯＫ」のみを明確に判別できる。
また、ＯＫ文字部３２１の色彩、ＮＧ文字部３２２の色彩は、両方とも「黄色→橙色」に変化する。このため、ＯＫ文字部３２１の色彩、ＮＧ文字部３２２を、同様な材料を用いて形成できるので、材料の使い分けが不要である。これにより、粘着テープ３０１は、低コストであり、また、製造上の材料の管理が容易である。
【００３７】
（第４実施形態）
次に、本発明の第４実施形態について説明する。
なお、以下の説明及び図面において、前述した第１実施形態と同様の機能を果たす部分には、同一の符号又は末尾（下２桁）に同一の符号を適宜付して、重複する説明を適宜省略する。
図５は、第４実施形態の粘着テープ４０１を示すである。
図５（Ａ）は、縮み状態の粘着テープ４０１を上側Ｚ２から見た図である。
図５（Ｂ）は、伸び状態の粘着テープ４０１を上側Ｚ２から見た図である。
図５（Ｃ）は、粘着テープ４０１の断面図（図１（Ａ）のＣ−Ｃ部断面図）である。
前述した実施形態では、文字部の色彩が変化したのに対して、本実施形態では、文字部の背景の色彩が変化する。粘着テープ４０１の使用方法は、第１実施形態と同様である。
【００３８】
粘着テープ４０１は、基材１０、色変化層４２０（可変色部）、文字部４１０（不変色部）、透明保護層３０、粘着剤層４０、剥離紙４１を備える。
粘着剤層４０、基材１０、色変化層４２０、透明保護層３０は、剥離紙４１上に、下側Ｚ１から上側Ｚ２にこの順番で積層されている。
基材１０は、色変化層４２０が積層されている。基材１０は、色変化層４２０を保持する層である。
【００３９】
色変化層４２０は、前述した実施形態の文字部と同様に、ポリマーの機能等によって色彩が変化する層である。色変化層４２０は、基材上にベタ状に積層される。
色変化層４２０は、ＯＫ背景部４２１（第１可変色部）、ＮＧ背景部４２２（第２可変色部）を備える。
ＯＫ背景部４２１、ＮＧ背景部４２２は、粘着テープ４０１の長手方向に、左右方向Ｘに連続するように配置されたものが１組である。そして、複数組みが左右に連続して配置されている。
ＯＫ背景部４２１、ＮＧ背景部４２２は、後述するように、変化する色彩の態様が異なる。
【００４０】
文字部４１０は、色変化層４２０上に、印刷等によって積層される。
文字部４１０は、ＯＫ文字部４１１（第１不変色部）、ＮＧ文字部４１２（第２不変色部）を備える。上側Ｚ２から見ると、ＯＫ文字部４１１、ＮＧ文字部４１２の形状は、それぞれ、「ＯＫ」、「ＮＧ」の文字状である。ＯＫ文字部４１１、ＮＧ文字部４１２は、前述した実施形態と同様に、粘着テープ４０１が被着体に確実に貼付されているか否かの情報を伝えることができる。
１つのＯＫ文字部４１１、１つのＮＧ文字部４１２は、左右方向Ｘに配置されたものが１組である。各ＯＫ文字部４１１は、各ＯＫ背景部４２１上に配置され、一方、各ＮＧ文字部４１２は、各ＮＧ背景部４２２上に配置されている。これにより、複数組みが左右に連続して配置されている。
【００４１】
透明保護層３０は、基材１０上に積層された色変化層４２０、文字部４１０を、摩擦、汚損等から保護する層である。透明保護層３０は、透明な層である。透明保護層３０は、基材１０と同様に、伸縮可能である。透明保護層３０は、色変化層４２０及び文字部４１０を一体で覆うように、基材１０上面の全面に積層されている。
なお、色変化層４２０、文字部４１０が十分な耐摩耗性等を備える場合には、透明保護層３０は、不要である。
【００４２】
上記構成によって、粘着テープ４０１は、剥離紙４１から剥離された状態で、基材１０、色変化層４２０、文字部４１０、透明保護層３０、粘着剤層４０が一体で、左右方向Ｘに伸縮する。
図１（Ａ）の状態が、縮み状態であり、一方、図１（Ｂ）の状態が、伸び状態である。粘着テープ４０１は、使用前の剥離紙４１が積層された状態では、縮み状態である。粘着テープ４０１は、使用時に引っ張られることにより、伸び状態にされた状態で、被着体に貼付される。
【００４３】
［上側から見た色彩］
この粘着テープ４０１を、上面から見た状態の色彩について説明する。
（縮み状態：図５（Ａ）の状態）
・ＯＫ背景部４２１、ＯＫ文字部４１１
ＯＫ背景部４２１の色彩は、黄色（Ｙ）である。ＯＫ文字部４１１の色彩は、黄色（Ｙ）である。このため、ＯＫ文字部４１１の色彩と、ＯＫ文字部４１１に連続しＯＫ文字部４１１の背景となるＯＫ背景部４２１の色彩とが同じである。このため、看者は、ＯＫ文字部４１１の文字を、明確に判別できない。
・ＮＧ背景部４２２、ＮＧ文字部４１２
ＮＧ背景部４２２の色彩は、青色（Ｂ）である。ＮＧ文字部４１２の色彩は、黄色（Ｙ）である。このため、ＮＧ文字部４１２の色彩と、ＮＧ文字部４１２に連続しＮＧ文字部４１２の背景となるＮＧ背景部４２２の色彩とが異なる。このため、看者は、ＮＧ文字部４１２の文字を、明確に判別できる。
【００４４】
（伸び状態：図５（Ｂ）の状態）
使用時等の状態であって、粘着テープ４０１が左右方向Ｘに引っ張られた状態では、色変化層４２０のＯＫ背景部４２１、ＮＧ背景部４２２は、基材１０と一体に、左右方向Ｘに伸びる。これに応じて、ＯＫ背景部４２１、ＮＧ背景部４２２は、左右方向Ｘに大きな応力が作用する。このため、ＯＫ背景部４２１、ＮＧ背景部４２２は、色彩が変化する。この場合、粘着テープ４０１は以下のように観察される。
・ＯＫ背景部４２１、ＯＫ文字部４１１
ＯＫ背景部４２１の色彩は、応力が作用することによって、橙色（Ｏ）に変化する。ＯＫ文字部４１１の色彩は、基材１０に応力が作用しても、変化しないので黄色（Ｙ）である。このため、ＯＫ文字部４１１の色彩と、ＯＫ文字部４１１の色彩に連続したＯＫ背景部４２１の色彩とが異なる。このため、看者は、ＯＫ文字部４１１の文字を、明確に判別できる。
なお、「色彩が変化しない」とは、着色剤自体等の色が変化しないことをいい、例えば、基材１０が伸びることに応じて、ＯＫ文字部４１１の色彩が若干薄くなるような形態は、「色彩が変化しない」に含む。
・ＮＧ背景部４２２、ＮＧ文字部４１２
ＮＧ背景部４２２の色彩は、応力が作用することによって、黄色（Ｙ）に変化する。ＮＧ文字部４１２の色彩は、ＮＧ文字部４１２に応力が作用しても、色彩が変化しないので黄色（Ｙ）である。このため、ＮＧ文字部４１２の色彩と、ＮＧ文字部４１２に連続したＮＧ背景部４２２の色彩とが同じである。このため、看者は、ＮＧ文字部４１２の文字を、明確に判別できない。
【００４５】
これにより、看者は、「ＯＫ」、「ＮＧ」の２つの文字のうち、縮み状態では「ＮＧ」のみを明確に判別でき、一方、伸び状態では「ＯＫ」のみを明確に判別できる。
また、粘着テープ４０１は、ＯＫ文字部４１１の色彩と、ＮＧ文字部４１２の色彩と、縮み状態のＯＫ背景部４２１の色彩と、伸び状態のＮＧ背景部４２２の色彩とが同じ黄色であることにより、２つの文字「ＯＫ」、「ＮＧ」を交互に、明確に判別できないように表現できる。さらに、粘着テープ４０１は、ＯＫ文字部４１１、ＮＧ文字部４１２を同一色にできるので、印刷工程を簡単にできる等のため、低コストである。
【００４６】
以上説明したように、本実施形態の粘着テープ４０１は、文字の背景の色彩を変化させることにより、縮み状態、伸び状態であるかを明確に判断できる。
【００４７】
（第５実施形態）
次に、本発明の第５実施形態について説明する。
なお、以下の説明及び図面において、前述した第４実施形態と同様の機能を果たす部分には、末尾（下２桁）に同一の符号を適宜付して、重複する説明を適宜省略する。
また、第５実施形態、後述する第６実施形態において、積層構成、複数組みの背景部が左右方向Ｘに並べられた構成、使用方法等は、第４実施形態と同様である。以下の説明及び図面では、主に、１組のＯＫ文字部及びＮＧ文字部の色彩と、１組のＯＫ背景部及びＮＧ背景部の色彩とについて説明する。
図６は、第５実施形態の粘着テープ５０１を示す図である。
図６（Ａ）は、縮み状態の粘着テープ５０１を上側Ｚ２から見た図である。
図６（Ｂ）は、伸び状態の粘着テープ５０１を上側Ｚ２から見た図である。
【００４８】
色変化層５２０は、ＯＫ背景部５２１（第１可変色部）、ＮＧ背景部５２２（第２可変色部）を備える。
ＯＫ背景部５２１は、ＯＫ文字部５１１（第１不変色部）が配置された領域である。ＯＫ背景部５２１は、ＯＫ文字部５１１に連続しており、ＯＫ文字部５１１の背景である。
ＮＧ背景部５２２は、ＮＧ文字部５１２（第２不変色部）が配置された領域である。ＮＧ背景部５２２は、ＮＧ文字部５１２に連続しており、ＮＧ文字部５１２の背景である。
【００４９】
［上側Ｚ２（上面側）から見た色彩］
この粘着テープ５０１を、上側Ｚ２から見た状態の色彩について説明する。
（縮み状態：図６（Ａ）の状態）
・ＯＫ背景部５２１、ＯＫ文字部５１１
ＯＫ背景部５２１の色彩は、黄色（Ｙ）である。ＯＫ文字部５１１の色彩は、黄色（Ｙ）である。このため、看者は、第４実施形態と同様に、ＯＫ文字部５１１の文字を、明確に判別できない。
・ＮＧ背景部５２２、ＮＧ文字部５１２
ＮＧ背景部５２２の色彩は、青色（Ｂ）である。ＮＧ文字部５１２の色彩は、赤色（Ｒ）である。このため、ＮＧ背景部５２２の色彩と、ＮＧ文字部５１２の色彩とが異なる。このため、看者は、ＮＧ文字部５１２の文字を、明確に判別できる。
【００５０】
（伸び状態：図６（Ｂ）の状態）
・ＯＫ背景部５２１
ＯＫ背景部５２１の色彩は、橙色（Ｏ）に変化する。ＯＫ文字部５１１の色彩は、応力が作用しても変化しないので黄色（Ｙ）である。このため、看者は、第４実施形態と同様に、ＯＫ文字部５１１の文字を、明確に判別できる。
・ＮＧ背景部５２２
ＮＧ背景部５２２の色彩は、赤色（Ｒ）に変化する。ＮＧ文字部５１２の色彩は、応力が作用しても色彩が変化しないので赤色（Ｒ）である。このため、ＮＧ背景部５２２の色彩と、ＮＧ文字部５１２の色彩とが同じである。このため、看者は、ＮＧ文字部５１２の文字を、明確に判別できない。
【００５１】
これにより、看者は、「ＯＫ」、「ＮＧ」の２つの文字のうち、縮み状態では「ＮＧ」のみを明確に判別でき、一方、伸び状態では「ＯＫ」のみを明確に判別できる。
また、ＯＫ背景部５２１の色彩は、「黄色→橙色」に変化する。一方、ＮＧ背景部５２２の色彩は、「青色→赤色」に変化する。
このように、ＯＫ背景部５２１、ＮＧ背景部５２２の色彩は、共通したものがない。これにより、ＯＫ背景部５２１、ＮＧ背景部５２２のそれぞれの色彩の変化に応じて、ＯＫ文字部５１１、ＮＧ文字部５１２の色彩をそれぞれ設定すればよいので、設計の自由度を向上できる。
【００５２】
（第６実施形態）
次に、本発明の第６実施形態について説明する。
なお、以下の説明及び図面において、前述した第１、第２実施形態と同様の機能を果たす部分には、末尾（下２桁）に同一の符号を適宜付して、重複する説明を適宜省略する。
図７は、第６実施形態の粘着テープ６０１を示すである。
図７（Ａ）は、縮み状態の粘着テープ６０１を上側Ｚ２から見た図である。
図７（Ｂ）は、伸び状態の粘着テープ６０１を上側Ｚ２から見た図である。
【００５３】
色変化層６２０は、ＯＫ背景部６２１（第１可変色部）、ＮＧ背景部６２２（第２可変色部）を備える。
ＯＫ背景部６２１、ＮＧ背景部６２２は、同一の構成である。色変化層６２０（つまり、ＯＫ背景部６２１、ＮＧ背景部６２２）は、同一の塗料、インク等を基材上にベタで塗布することにより、形成することができる。このため、ＯＫ背景部６２１、ＮＧ背景部６２２は、応力が作用することに応じて、同様に色彩が変化する。
【００５４】
［上側Ｚ２（上面側）から見た色彩］
この粘着テープ６０１を、上側Ｚ２から見た状態の色彩について説明する。
（縮み状態：図７（Ａ）の状態）
・ＯＫ背景部６２１、ＯＫ文字部６１１（第１不変色部）
ＯＫ背景部６２１の色彩は、黄色（Ｙ）である。ＯＫ文字部６１１の色彩は、黄色（Ｙ）である。このため、看者は、第４実施形態と同様に、ＯＫ文字部６１１の文字を、明確に判別できない。
・ＮＧ背景部６２２、ＮＧ文字部６１２（第２不変色部）
ＮＧ背景部６２２の色彩は、ＯＫ背景部６２１と同じ黄色（Ｙ）である。ＮＧ文字部６１２の色彩は、橙色（Ｏ）である。このため、ＮＧ背景部６２２の色彩と、ＮＧ文字部６１２の色彩とが異なる。このため、看者は、ＮＧ背景部６２２の文字を、明確に判別できる。
【００５５】
（伸び状態：図７（Ｂ）の状態）
・ＯＫ背景部６２１
ＯＫ背景部６２１の色彩は、橙色（Ｏ）に変化する。ＯＫ文字部６１１の色彩は、応力が作用しても変化しないので黄色（Ｙ）である。このため、看者は、第４実施形態と同様に、ＯＫ背景部６２１の文字を、明確に判別できる。
・ＮＧ背景部６２２
ＮＧ背景部６２２の色彩は、ＯＫ背景部６２１と同様に、橙色（Ｏ）に変化する。ＮＧ文字部６１２の色彩は、応力が作用しても色彩が変化しないので橙色（Ｏ）である。このため、ＮＧ背景部６２２の色彩と、ＮＧ文字部６１２の色彩とが同じである。このため、看者は、ＮＧ背景部６２２の文字を、明確に判別できない。
【００５６】
これにより、看者は、「ＯＫ」、「ＮＧ」の２つの文字のうち、縮み状態では「ＮＧ」のみを明確に判別でき、一方、伸び状態では「ＯＫ」のみを明確に判別できる。
また、ＯＫ背景部６２１の色彩、ＮＧ背景部６２２の色彩は、両方とも「黄色→橙色」に変化する。このため、ＯＫ背景部６２１の色彩、ＮＧ背景部６２２を、同様な材料を用いて形成できるので、材料の使い分けが不要である。これにより、粘着テープ６０１は、低コストであり、また、製造上の材料の管理が容易である。
【００５７】
以上、本発明の実施形態について説明したが、本発明は前述した実施形態に限定されるものではなく、例えば、後述する変形形態等のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００５８】
（変形形態）
（１）実施形態において、文字部の形状は、文字状（ＯＫ、ＮＧ）である例を示したが、これに限定されない。文字部の形状は、粘着テープに適切な応力が作用しているか否か、すなわち、粘着テープ１が被着体に確実に貼付されているか否かの情報を伝えることができるものであれば、限定されない。文字部の形状は、例えば、図形、記号、模様等でもよい。
【００５９】
（２）実施形態において、文字部は、ＯＫ文字部、ＮＧ文字部の両方を備える例を示したが、これに限定されない。文字部は、ＯＫ文字部、ＮＧ文字部のいずれか一方のみを備えていてもよい。
ＯＫ文字部のみを備える形態では、粘着テープを利用前には「ＯＫ」の文字を明確に判別できず、一方、粘着テープに適切な応力を作用させて使用している場合には「ＯＫ」の文字を明確に判別できる。
また、ＮＧ文字部のみを備える形態では、粘着テープを利用前には「ＮＧ」の文字を明確に判別でき、一方、粘着テープに適切は応力を作用させて使用している場合には「ＮＧ」の文字を明確に判別できない。
【００６０】
（３）第４から第６実施形態において、色変化層は、基材上に直接積層されている例を示すが、これに限定されない。粘着テープを上側から観察した状態で、色変化層上に文字部が観察されれば、積層構成、各層の構成等は、いずれの形態でもよい。
例えば、以下のような形態でもよい。
・基材にポリマー等を含ませることにより、基材が色変化層として機能してもよい。
・基材を透明な形態として、色変化層を基材よりも下側に積層してもよい。また、この形態では、粘着剤層にポリマー等を含ませることにより、粘着剤層が色変化層として機能してもよい。
・基材に透明層を設け、色変化層を、この透明層上に積層してもよい。
【符号の説明】
【００６１】
１，２０１，３０１，４０１，５０１，６０１  粘着テープ
１０，２１０，３１０  基材
１１，２１１，３１１  部分
１２，２１２，３１２  部分
２０  文字部
２１，２２１，３２１，４１１，５１１，６１１  ＯＫ文字部
２２，２２２，３２２，４１２，５１２，６１２  ＮＧ文字部
４０  粘着剤層
４２１，５２１，６２１  ＯＫ背景部
４２２，５２２，６２２  ＮＧ背景部
【図１】
0006617460.tif 000002
【図２】
0006617460.tif 000003
【図３】
0006617460.tif 000004
【図４】
0006617460.tif 000005
【図５】
0006617460.tif 000006
【図６】
0006617460.tif 000007
【図７】
0006617460.tif 000008